(57)【特許請求の範囲】
【請求項１】
写真現像焼付装置の複数の処理液槽中を順次搬送されて水洗状態にある印画紙を温風式乾燥手段で乾燥する前に予備乾燥する予備乾燥手段を設けた写真乾燥装置であって、
前記予備乾燥手段を、
前記写真現像焼付装置に固定される基部と、
水洗用処理液槽の出口から前記温風式乾燥手段の入口まで印画紙を搬送するために複数の駆動ローラと従動ローラからなる搬送路を有する搬送部と、
前記基部とともに外気を遮蔽するカバー部と、
搬送途中の印画紙の表裏面に対して光量と熱量を同時に印加するランプヒータを備えたヒータユニットと、
前記カバー部の内部に外気を取り入れてから外部に排気する送気部とから構成し、
前記ヒータユニットは、前記基部に形成された開口部を介して、搬送される印画紙の幅方向に挿脱自在に装着され、かつ、その挿入方向先端部から前記幅方向に前記搬送路を回避するスリットを有し、該スリットの両側にそれぞれ前記ランプヒータが配設されていることを特徴とする写真乾燥装置。
【請求項２】
前記ヒータユニットは、
前記ランプヒータとして、前記搬送部の幅寸法に略匹敵する全長を有する赤外線ヒータと、
該赤外線ヒータを取り囲むように設けられてなり前記光量と熱量とを反射して印画紙の表裏面に対して印加するためのリフレクタと、
印画紙を下流に案内するために前記リフレクタの開口部に設けられるガイドとから構成される組の一対分を、前記スリットの両側に設けたことを特徴とする請求項１に記載の写真乾燥装置。
【請求項３】
前記ヒータユニットを前記基部の前記開口部を介して所定位置まで案内し、前記所定位置まで案内するとともに位置決めし、これを固定するための手段を前記ヒータユニット側と前記基部側とに設けることを特徴とする請求項１または請求項２のいずれかに記載の写真乾燥装置。
【請求項４】
前記赤外線ヒータは弾性体の通電部において着脱自在に設けられるとともに、前記通電部に接続される通電コードを前記リフレクタの背面側に沿って配線することを特徴とする請求項２に記載の写真乾燥装置。
【発明の詳細な説明】
【０００１】
【発明の属する技術分野】
本発明は写真乾燥装置に係り、特に焼付け現像処理後に水分が付着した状態の印画紙を予備的に乾燥することで効率良く乾燥する予備乾燥機能を備えた写真乾燥装置に関するものである。
【０００２】
【従来の技術】
従来より、ロール状のロールペーパーとして下流に向けて連続供給される連続印画紙、またはロールペーパーを所定サイズに予め切断した印画紙（以下ペーパーＰと呼ぶ）の乳剤面上に、暗箱においてフィルム画像の露光焼付けを行った後に、現像、漂白、水洗用の処理液体を夫々内蔵した処理槽内を順次通過するように搬送してから、処理槽の下流側に配設された乾燥装置内を搬送して、完全に乾燥してから外部に排出するように構成された写真焼付現像装置が種々実用化されている。
【０００３】
例えば、米国特許番号５、３０７、１１４号に開示されている写真焼付現像装置によれば、ペーパーマガジン内において光を遮断して内蔵されている連続したロールペーパーをカッターユニットを用いて、所望のカットサイズに予め切断した後に、乳剤面を上にして露光焼付け部に搬送してから、スキャナーにセットされたフィルムの画像を所望のサイズになるように露光焼付けした後に、下流に搬送し、現像、漂白、水洗用の処理液体を内蔵した処理槽中を順次搬送した後に、乾燥装置を用いて水分を除去し乾燥するようにして、外部に整然と順序良く排出する装置が提案されている。
【０００４】
そして、この装置によれば、温風乾燥方式の乾燥装置が採用されている。この温風乾燥方式は、温風発生用のニクロム線ヒータと大型のブロアと、印画紙を略Ｕ字になるように連続搬送するラック装置とから構成されており、ペーパーの搬送の終了時点において乾燥が終えるようにするものである。
【０００５】
このように構成される温風乾燥方式の乾燥装置は、ニクロム線ヒータからの発生熱を常時ブロアー送風により奪うようにすることから、安全性に優れ、また、ぺーパーの表裏面を均等に、かつ徐々に乾燥するのでカールの発生が少なく、走行安定性の確保がし易いなどの理由から多く採用されている。
【０００６】
【発明が解決しようとする課題】
しかしながら、上記のように構成される温風乾燥方式の乾燥装置によれば、乾燥に時間を要することから、乾燥のためにラック装置による搬送経路長を長く設定して、所望の乾燥処理能力を確保する必要がある。
【０００７】
このために、従来は乾燥装置を上下方向に極力高くするようにしてラック搬送経路を長く確保している。この結果、乾燥装置が大型化してしまい、延いては現像焼付装置全体の大型化を招いている。
【０００８】
そこで、比較的に小型の温風乾燥式の乾燥装置を採用するために、水分を多く含んだ状態の印画紙を予備的に乾燥する予備乾燥装置を設けるようにして、処理能力の高い機種の場合であっても小型の温風乾燥式の乾燥装置を使用できるようにすることが考えられる。
【０００９】
しかし、このように予備乾燥装置を設けるためには、印画紙の搬送中のジャム発生時または搬送途中において、ヒータ断線などのトラブルが発生した場合において、簡単にヒータ部へのアクセスができるようにして、所謂メインテナンス性を確保する必要がある。また、印画紙の乳剤面側とベース面側とでは、水分量が均一とならないために湿度、乾燥温度によっては乾燥度合が異なり、このために印画紙にカーリング（反り）を生じる虞がある。
【００１０】
一方、従来は水洗用処理液槽の出口から温風式乾燥手段の入口まで直接印画紙を搬送するようにしていたので、簡単にアクセスできたことから少なくともメインテナンス性には問題がないが、上記のような予備乾燥装置を設けるために印画紙へのアクセスができなくなるのでは、採用が困難となり、折角の小型化を実現できなくなる。
【００１１】
したがって、本発明は上述した問題点に鑑みてなされたものであり、乾燥のために搬送経路の全長を長く設定しなくとも乾燥処理能力を十分に確保できる小型の乾燥装置とするために、水洗用処理液槽の出口から温風式乾燥手段の入口まで搬送される印画紙へのアクセスを容易にでき、かつメンテナンス性を向上する写真乾燥装置の提供を目的としている。
【００１２】
【課題を解決するための手段】
上述した課題を解決し、目的を達成するために、本発明によれば、写真現像焼付装置の複数の処理液槽中を順次搬送されて水洗状態にある印画紙を温風式乾燥手段で乾燥する前に予備乾燥する予備乾燥手段を設けた写真乾燥装置であって、前記予備乾燥手段を、前記写真現像焼付装置に固定される基部と、水洗用処理液槽の出口から前記温風式乾燥手段の入口まで印画紙を搬送するために複数の駆動ローラと従動ローラからなる搬送路を有する搬送部と、前記基部とともに外気を遮蔽するカバー部と、搬送途中の印画紙の表裏面に対して光量と熱量を同時に印加するランプヒータを備えたヒータユニットと、前記カバー部の内部に外気を取り入れてから外部に排気する送気部とから構成し、前記ヒータユニットは、前記基部に形成された開口部を介して、搬送される印画紙の幅方向に挿脱自在に装着され、かつ、その挿入方向先端部から前記幅方向に前記搬送路を回避するスリットを有し、該スリットの両側にそれぞれ前記ランプヒータが配設されていることを特徴としている。
【００１３】
【発明の実施の形態】
以下に本発明の好適な実施形態について添付の各図面を参照して述べる。
【００１４】
先ず、図１は写真焼付現像装置の装置本体１の全体構成の要部を示すために二点鎖線で示した筐体２に対して着脱自在に設けられるカバーを全て取り外して示した外観斜視図であり、オプションとして設定されるペーパーマガジン左収納部２ａを増設した様子を示している。また、完成写真を順次排出して整理する排出部については省略してある。
【００１５】
本図から明らかなように、装置本体１は縦長偏平に構成することで、極力占有面積を占めないようにする一方で、前面から主要な各部分に簡単にアクセスできるように配慮されている。
【００１６】
この結果、特に我が国における狭い店内等において壁面に対してかなり近接するように装置本体１を設置した場合であっても、日常行われるべき種々の作業である例えば処理液の交換乃至補充の際に、簡単に使用できるようにするとともに、装置本体１の背面に対するアクセスを極力不要するように配慮している。
【００１７】
また、このペーパーマガジン左収納部２ａは、図中の矢印Ｙで示された装置１の側面から分離可能に取付けられるものであり、カッターユニット４とともに増設できるようにして、図示のように２個のペーパーマガジン３を同時に装填可能にしている。
【００１８】
このようにして、より需要の高い使用頻度となった場合には、ペーパーマガジン３を適宜増設できるようにして、ペーパーマガジン右収納部２ｂのみを配設した状態で完成された写真焼付現像装置１を、最初にラボや写真館等に導入するようにしておき、導入後の使用頻度とパノラマ写真を含むペーパーの消費量に基づき、適宜ペーパーマガジン左収納部２ａを増設可能にしている。
【００１９】
一方、写真焼付面側に発色乳剤を予め塗設したペーパーＰは、所定幅寸法（例えば、８９ｍｍ幅）の連続した長尺ロールペーパーとして捲回状態で、かつ光を完全に遮断した状態にされてペーパーマガジン３内において回転自在に内蔵されている。
【００２０】
また、このペーパーマガジン３の側面部位にはペーパーＰの幅寸法、ペーパー乳剤種類等の内容を記録したバーコード２０が貼設されており、ペーパーマガジン３を左右の収納部２ａ、２ｂに装填する際に、本体側に固定されているバーコード検出器２１により内容を読み取り、プロセッサー制御部１８に送り、その読み取り結果に応じて後述のランプヒータへの通電制御を行うように構成されている。
【００２１】
さらに、このペーパーマガジン３を、ペーパーマガジン左収納部２ａとペーパーマガジン右収納部２ｂに対して共通に使用できるようにするために、図示のように外形が左右対称に構成されるとともに、表裏面の両方の壁面において取出し装填用のハンドル３ａが夫々設けられている。また、図中の破線図示のロールペーパーＲＰをペーパーマガジン３の外部に排出する際の開口部の自動開閉機構を構成するシャッター板（不図示）は、ペーパーマガジン右収納部２ｂとペーパーマガジン左収納部２ａのいずれに挿入した場合でも同じように自動的に開閉するように構成されており、構成部品の共通化を図るとともに使い勝手を向上させている。
【００２２】
また、このペーパーマガジン３に近接して設けられるカッターユニット４は、連続搬送されるペーパーＰを露光焼付部において焼付けする前に所望サイズに切断するためのものであり、このカッターユニット４により所定のカットサイズに切断されたペーパーＰは、先ず暗箱７内に設けられた露光焼付部５に搬送されて、テーブル８上に一時的に吸着固定されてから、焼付けのための準備が整い、二点鎖線で図示のスキャナー６に対してフィルムＦを順次駒送りして、ズームレンズ等からなる光学系６ａを自動または手動にて調整して所望のサイズの画像をペーパーＰ上に結像して焼付けるように構成されている。
【００２３】
この焼付け動作の後に、カッターユニット４の上方に配設された副搬送部９に向けてパーパーＰを搬送し、続いて主搬送部１０に搬送するが、この主搬送部１０にはペーパーの搬送途中において挨拶文等を写真に焼付けるためのグリーティングユニット１１が簡単に着脱自在になるように設けられている。このために、主搬送部１０へは頻繁にアクセスする必要があり、主搬送部１０は筐体２の手前に簡単に引き出せるように構成されている。
【００２４】
また、この主搬送部１０の下流側には焼付け後のペーパーＰの現像、漂白、水洗を順次行うための処理槽１２が図示のように階段状になるように設けられており、処理槽１２の間に設けられた反転ロール１３により方向転換して、予備乾燥ユニット３０のペーパー導入部３１に送り込み、続いて乾燥ユニット１７に送り込むようにして、乾燥後に、最終的に装置１の上方に矢印ｄ方向に排出するように構成されている。
【００２５】
処理槽１２には、不図示のラック装置が内蔵されており、ペーパーＰの搬送を行うとともに、予備乾燥ユニット３０の内部にも後述するドライブローラとアイドルローラがペーパーＰの全長以下となるように配設されているが、これらの駆動源として、１個の共通のモートル２５が配設されており、チェーン及びスプロケット、クラッチ等の動力伝達手段を介して、駆動するように構成されている。
また、図示のように一端が開口した赤外線ヒータユニット３３をハンドル３４を把持して前方（矢印Ｆ方向）に引く出すようにするための開口部３２が予備乾燥ユニット３０の手前側に穿設されており、赤外線ヒータユニット３３の引き出しを容易にする一方で、各ローラにより搬送途中の状態になっているペーパーＰに対する干渉を無くして着脱ができるように配慮されている。
【００２６】
また、この予備乾燥ユニット３０の下方にはダクト２２が配設されており、後述するように温風を循環する際の案内手段を構成しており、乾燥ユニット１７の効率的な温風乾燥を可能にしている。
【００２７】
一方、処理槽１２の中段の下方部位には各処理液補充用の補充タンク１５が設けられる一方で、タンクの下方のドレイン１４を介して使用済みの処理液を回収できるようにして、前面のカバー（不図示）のみを開くことで、日常必要となる作業が全てできるように配慮されている。
【００２８】
そして、乾燥ユニット１７の下方の空間を占める筐体２内には電源部１９が設けられるとともに、この電源部１９の上には上記の処理槽１２に関係する種々の制御を行うためのプロセッサー制御ユニット１８が配設されており、上記の暗箱７の左側面に固定されており、ペーパー搬送を司る主制御ユニット１６との間で種々の制御データの交換を行うようにして、装置全体の制御を行うように構成されている。
【００２９】
次に、図２は、図１の主搬送１０におけるペーパー搬送の様子を示した要部拡大の外観斜視図である。
【００３０】
本図において、既に説明済みの構成には同一符号を付して説明を割愛して述べると、カッターユニット４で切断されたペーパーＰはテーブル５０上に穿設された破線図示の多数の孔部にファン５８の吸着作用により隙間をなくすようにしてテーブル５０面上に吸引される。このテーブル５０の下方には旋回モータ（不図示）により図示の矢印ｄ３方向に回転可能に構成されている吸着部５１が、パーパーの搬送方向（矢印ｄ１方向）に沿うように往復移動可能に設けられており、図示の位置においてペーパーＰを保持して焼き付けを行うようにしている。
【００３１】
この焼き付け後に、ペーパーＰは矢印ｄ４方向に主搬送部１０に向けて搬送されて図中のペーパーＰ１の位置で、大判ＰＬであるか否かの判断がされた後に、矢印ｄ５方向に搬送される。ここで、ペーパーサイズが小型（１２７×８９ｍｍ）の時はＰ３、Ｐ４、Ｐ５、Ｐ６の位置になるように、左右に振り分けて搬送するようにして、処理槽１２内を２列になるように搬送する。このように２列で矢印ｄ９方向に搬送するようにして、処理槽１２に送ることで処理速度をアップできるようにしている。また、パノラマ写真（２５４×８９ｍｍ）のように縦長の場合も同じように２列で搬送できるようにしている。
【００３２】
一方、フィルムスキャナー６に装填されるフィルムの搬送方向に対して直交するように焼付けを行いたい場合には、旋回モータを矢印ｄ３方向に９０度駆動して焼付けを行えるようにして、同一種類のペーパーのままで、複数種類の異なるサイズを全て焼付けることができるように構成されている。
【００３３】
図３は、図１に示した装置１を右斜め上から見た外観斜視図である。本図において既に説明済みの構成には同一符号を付して説明を割愛して、未説明構成部分について述べると、予備乾燥ユニット３０は図示のようにダクト２２の直上の限られた容積部分に設けられており、矢印ｄ方向に処理槽１２から乳剤面Ｐａを上にして送り出された水分を含むペーパーＰを導入部３１から内部に導入し、予備乾燥後に乳剤面Ｐａを上にして乾燥ユニット１７に設けられたラック装置を構成するスポンジローラ２６間に送るようにしている。この後に、乾燥ユニット１７内を反転ローラ２７により略迂回するようにして上方に向かうように搬送することで、排出するように構成されている。
【００３４】
この予備乾燥ユニット３０を筐体２に対して前後方向に移動して固定できるようにするための基部となる側板２９にはスライダー３８とブラケット３７が夫々固定されており、筐体２の固定部２ｄと後述の２ｋで保持してからネジ等で筐体２に固定するようにしている。一方、この予備乾燥ユニット３０に対して上述のように開口部３２を介して出し入れ可能に設けられる赤外線ヒータユニット３３はネジ７３により基部に固定される。
【００３５】
この予備乾燥ユニット３０の上方には図示のように前後方向に延びるように設けられて内部に外気を導入する第１のクロスフローファン３５と、下方側に配設されて外部に排気を行い乾燥ユニット１７側に排気する第２のクロスフローファン３６が設けられている。
【００３６】
また、乾燥ユニット１７の奥側には図示のように起立状態にされた主クロスフローファン２３が配設されている。また、この近傍には主ヒータユニット２４であって、主クロスフローファン２３の全長に略等しい長さのニクロム線ヒータ２４ａを複数本数内蔵したヒータが配設されており、ヒータ２４ａへの連続通電による発熱を主クロスフローファン２３で送気することで、温風を乾燥ユニット１７内に導入する。このようにして、ペーパーＰの乳剤面Ｐａ側に対する温風の送気を行ない、その後前方に排気してから、不図示のカバーに向けて送気して、ダクト２２内に排気するようにして、再度ヒータ２４に送気する構成として、発熱の無駄を極力排除するようにしている。
【００３７】
図４は、図３のＡ‐Ａ矢視断面図である。
【００３８】
本図において、紙面の前後方向において２枚設けられる側板２９にはペーパー導入部３１とブラケット３７とスライダ３８とが固定されており、手前側の側板２９には上記の開口部３２が穿設されている。また、カッターユニット４により予め所定長さに切断されたペーパーＰを搬送するために、パーパーＰの長さ以下の間隔で各ローラが配設されているが、これらのアイドルローラ３９、ドライブローラ４０、アイドルローラ４１、ドライブローラ４２、アイドルローラ４３、ドライブローラ４４、アイドルローラ４５、ドライブローラ４６の夫々を回動可能に軸支する不図示の軸受が側板２９に設けられている。
【００３９】
そして、各ドライブローラは、筐体２の所定位置に固定された状態で、上記のモートル２５の駆動軸に対してクラッチを介して自動的に動力伝達されるように構成されている。また、各ローラの搬送速度が一致するようにして、搬送途中でのたるみや不要な張力が発生しないようにして、予備乾燥を行うとともに下流の乾燥ユニット１７に予備乾燥後のペーパーＰを搬送するようにしている。
【００４０】
一方、側板２９の間には、図示のような断面形状のカバー４７、カバー４８とカバー４９が固定されており、ユニット３０の内部を密閉状態にしている。また、これらのカバー４７、４８、４９にはペーパーＰの有無検出を非接触状態で検出するための、例えば光学式の第１センサＳ１−１（発光部）、Ｓ１−２（受光部）と、第２センサＳ２−１（発光部）、Ｓ２−２（受光部）とが配設されている。
【００４１】
また、上記の第１のクロスフローファン３５の外気導入側にはフィルター５２が、また、第２の第１のクロスフローファン３６の排気側にはフィルター５３が設けられている。
【００４２】
一方、上記の赤外線ヒータユニット３３には、夫々リフレクタ５７を設けたランプヒータ５６の一対分が図示のように対向するように設けられており、上記の各ローラにより構成されるペーパ搬送路に沿って、破線図示の矢印ｄ方向にペーパーＰが搬送される途中において、表裏から赤外線を照射することで、水分を積極的に蒸発するようにしている。このランプヒータ５６としては、中遠赤外光発生ランプが好ましく、本実施形態では例えば日本フィリップス株式会社から型式番号１３８４７ｚ−９８として販売されている中赤外線ヒータが好適である。この種のランプヒータによれば光量発生と同時に適度な熱線も発生するので、水分をペーパー表面から除去するために都合よく、また、ペーパーの深部まで熱線が到達するので、カール発生が少ない利点がある。
【００４３】
リフレクタ５７の開口部にはガイドワイヤ５５が後述するようにして固定されており、パーパーＰをローラ４２、４１、４４、４３の間で搬送案内するとともに、予期しない原因でカールが発生したペーパーＰがランプヒータ５６側に移動して、接触する事態を防止している。また、ペーパージャムが発生したときに、赤外線ヒータユニット３３を上記のように手前側に引き出す際に、ペーパーとの干渉を防止できるようにしている。
【００４４】
一方、破線図示の矢印ｄのように搬送するペーパ搬送路は水平面と約４５度の傾斜角度となるように構成することで、所望の搬送長さを確保しているが、これは下方の乾燥ユニット１７の全高を低くすることで筐体側の設計変更をすることなく達成できることとなる。即ち、予備乾燥ユニット３０を設けることで、温風乾燥方式の乾燥ユニット１７のラック装置による搬送長さを短縮しても乾燥できるようになるので、乾燥ユニット１７を低くできるようになり、これに伴い上記のクロスフローファン２３を全高の低い機種が採用できるようになる。同様に主ヒータユニット２４の全高をも低くできるようになる。
【００４５】
このように構成することで、従来の全高の高い乾燥ユニット１７のみの場合に比較して、乾燥ユニット１７を約６割分の全高にできるようになった。
【００４６】
次に、動作としてクロスフローファン３５、５６の駆動状態から、ペーパーＰの搬送が開始されると、第１センサＳ１でペーパー有りが検出されて、ランプヒータ５６の通電が後述のように行われて、予備乾燥を行う。このとき、クロスフローファン３５の送風でフィルター５２で濾過された外気が矢印Ｈ１方向に流れてから、カバー４７とリフレクタ５７で挟まれた空間部分を矢印Ｈ２方向に流れて、下方に向かいカバー４８と下方のリフレクタ５７で挟まれた部分を通過して、下方のクロスフローファン３６により吸引されてからフィルター５３を介して濾過されて、乾燥ユニット１７の開口部１７ａに矢印Ｈ４方向に向かうように流れることになる。このような送気により、ランプヒータ５６の過熱を防止するとともに、ペーパーＰに直に送気して乾燥を促すようにしている。
【００４７】
図５は予備乾燥ユニットと乾燥ユニット１７における送気の様子を示した外観斜視図であって、本図において、送気方向を二重矢印Ｈ、Ｋで示している。
【００４８】
図示のように、主クロスフローファン２３は矢印方向に回転駆動されており、矢印Ｋ１方向に送気を行うことで、主乾燥ユニット１７内に主ヒータユニット２４のヒータ線２４ａでの発生熱量を送り込む（矢印Ｋ２）。
【００４９】
このために、乾燥ユニット１７の側面は開口している。このようにして温風乾燥した後に、矢印Ｋ３方向に送気が行われるが、このとき不図示のカバーに送気がぶつかる結果、送気はダクト２２内に導入されて、矢印Ｋ４方向にダクト２２内を流れて、主ヒータユニット２４に送気される（矢印Ｋ５）。
【００５０】
このような送気循環を行うようにして、温風を有効利用して、電力消費を極力抑えるようにする。また、予備乾燥ユニット３０からの送気（矢印Ｈ４）は、濾過されている温風であるので、これを導入することで、乾燥の促進を図ることができる。
【００５１】
続いて、図６は、赤外線ヒータユニット３３の平面図であって、予備乾燥ユニット３３に内蔵された様子を示している。
【００５２】
本図において、赤外線ヒータユニット３３にはハンドル３４が固定された基部６０と、この基部６０から図示のように２つに分離した延設部６０ａ、６０ｂとから構成されている。
【００５３】
この延設部６０ａ、６０ｂには上記の破線図示のランプヒータ５６が設けられているリフレクタ５７が夫々固定されるとともに、内部に破線図示のコード７１を内蔵するための溝が形成されており、リフレクタの背面で押さえるようにしてランプヒータ保持及び通電用のバネ６３に対して不図示のサーモスタットを介して接続されている。このバネ６３の弾性保持力によりランプヒータ５６を交換可能に保持するようにしている。また、コード７１には通電用のコネクタ６９が接続されており、このコネクタ６９を介して後述する所定通電パターンＰＮにしたがって通電するようにしている。
【００５４】
したがって、ランプヒータの劣化後等に交換する場合には、コネクタ６９を取り外してから、ハンドル３４を把持して、赤外線ヒータユニット３３を開口部３２から引き出すようにして、予備乾燥ユニット３０の外部に全てを取り出してから交換作業ができるようになる。このようにして、外部に取出した後に、ランプヒータ５６を保持しているバネ６３からランプヒータ５６を取り外して、新品に交換してから装填してビス７３で側板２９に固定すればよいので、簡単な作業となるので、サービスマン以外のユーザサイドでもできるようになる。
【００５５】
また、延設部６０ａ、６０ｂの端部にはピン６１が設けられており、赤外線ヒータユニット３３を開口部３２からセットするときに、奥側の側板２９の凹部６６に自動挿入されることで、延設部６０ａ、６０ｂを不動状態で位置決め固定するようにしている。また、延設部６０ａ、６０ｂの外側にはガイドレール６２が夫々設けられており、側板２９間に設けられている溝部８０に対してガイドレール６２を案内して挿入できるようにして図示の位置決め固定をできるようにしている。
【００５６】
一方、上記のガイドワイヤ５５は、図示のように延設部６０ａ、６０ｂの対向面において夫々固定されており、これらの間においてペーパーの搬送ができるように構成されている。
【００５７】
図７は、ガイドワイヤ５５をリフレクタ５７に取り付ける様子を示した外観斜視図であって、（ａ）は取付け前、（ｂ）は取付け後の様子を夫々示す。本図において、上記のガイドワイヤ５５をリフレクタ５７に固定する従来からの方法は専ら耐熱性の接着剤によっていた。この結果、作業工程に時間を要するとともに、簡単には交換できないものであった。そこで、図示のように、ガイドワイヤ５５をリフレクタ５７に固定する方法として、簡単かつ確実に固定できるようにした。
【００５８】
この固定方法について述べると、先ず、図７（ａ）において、リフレクタ５７の開口部となる縁部の一方には左右の突起部５７ｃ、５７ｄと底部５７ｂがプレス加工等から形成されている。また、これに対向する部位には長円の開口部５７ａがプレス加工等により形成されている。
【００５９】
一方、ガイドワイヤ５５は図示のように１本のステンレス線材などからなる直径２ｍｍ前後のワイヤを曲げ加工するようにして、左右一対の基部５５ｃと、端部５５ｄ、５５ｅと、基部５５ｃに連続する垂下部５５ｂと、中継部５５ａとから形成されている。
【００６０】
このように形成されるガイドワイヤ５５をリフレクタ５７に固定するために、先ず中継部５５ａを開口部５７ａに対して破線矢印方向に挿入し、次に端部５５ｄ、５５ｅを把持して矢印方向に狭めるようにしてから、それ自体の弾性力で左右の突起部５７ｃ、５７ｄの下方に移動するようにして、底部５７ｂ上に載置する状態にする。
【００６１】
これに続き、図７（ｂ）において、突起部５７ｄ、５７ｃを工具または専用治具を用いて下方に曲げ加工して、端部５５ｄ、５５ｅを固定して、組み付けを完了する。
【００６２】
このようにして完成することで、開口部５７ａ側は、リフレク５７の端部から上に突出するようにできるので、矢印ｄ方向にペーパ搬送するようにして、引っ掛かりを防止するようにできる。
【００６３】
続いて、予備乾燥ユニットのランプヒータ５６の通電制御について、図８（ａ）の予備乾燥装置の制御のためのブロック図とランプヒータ５６の通電波形を示す図（ｂ）と、図９のランプヒータの通電制御のフローチャートに基づき説明する。
【００６４】
先ず、図８（ａ）において、プロセッサー制御部１８にはモートル２５の回転状態を検出する信号線と、バーコード検出器２１のバーコード内容を送るための信号線と、ペーパーＰの有無を検出する第１センサＳ１と第２センサの各信号線が接続されている。また、プロセッサー制御部１８内には図８（ｂ）に示したような通電パターンＰ１、Ｐ２、Ｐ３、Ｐ４を発生する基準パターンを記憶した通電波形発生部１８ａが設けられている。
【００６５】
一方、プロセッサー制御部１８は、電源部１９から所定電源（５ｖ、ｄｃ）を得るとともに、電源部１９にはヒータドライバ７０が接続されており、５０ｖ，２００ｖの所定電源を赤外線ヒータユニット３３のランプヒータ５６に対してコネクタ６９を介して供給可能にしている。
【００６６】
ヒータドライバ７０はプロセッサー制御部１８に接続されており、通電波形発生部１８ａからの基準パターンを増幅して通電パターンＰ１、Ｐ２、Ｐ３、Ｐ４を不図示の増幅リレー回路により発生して、ランプヒータ５６に対して供給するようにしている。
【００６７】
図８（ｂ）において、通電パターンＰ１は、約１００ｍｓを周期にして、交流の電圧５０ｖを交互にオン−オフする。通電パターンＰ２は、通電の開始時点では交流の電圧５０ｖを約１００ｍｓオンし、引き続いて電圧２００ｖの交流電圧を約１秒間通電する。通電パターンＰ３は、１００ｍｓを周期にして、交流電源の電圧約２００ｖを交互にオン−オフする。通電パターンＰ４は、通電の開始時点では約１６０ｍｓの交流電源の電圧２００ｖをオンし、約４０ｍｓの間オフするパターンである。
【００６８】
次に、図９のフローチャートにおいて、ランプヒータの通電制御の制御例を述べる。
【００６９】
装置１の起動が行われて本制御がスタートすると、先ずステップＳ１においてペーパーマガジン３の装填動作に伴い、バーコード２０に記録されている内容が検出器２１により読み取られることで、ペーパーの幅寸法、乳剤の種類等がプロセッサー制御部１８に一時記憶される。続いて、ステップＳ２に進み、モートル２５が回転している否かの判断が行われる。このステップＳ２において、例えば装置１の起動直後であって、初期化のため等に時間を要して、未だモートル２５が起動しておらず、回転していない場合には、ステップＳ３に進み、ランプヒータ５６への通電は行わないで、ステップＳ１２に進みリターンする。
【００７０】
また、ステップＳ２で、モートル２５が回転していると判断されると、ステップＳ４に進み上記の通電パターン１でランプヒータ５６への通電を行うことで、電圧５０ｖの定格以下の通電を行う所謂プリヒートを行う。
【００７１】
続く、ステップＳ５では第１センサＳ１により、ペーパーＰが搬送された状態が検出されたか否かの判断が行われて、有りが検出されると、ステップＳ６に進み、最初の１枚目のペーパーであるか否かの判断が行われる。また、ステップＳ５でペーパー無しが検出されるとステップＳ４に戻り、引き続き通電パターンＰ１で通電する。
【００７２】
また、ステップＳ６で１枚目のペーパーであると判断されると、通電パターンＰ２で通電を行い、ランプが短時間で標準の輝度になるように起動する。一方、ステップＳ６で最初の１枚ではないと判断されると、ステップＳ８に進み２枚目以降のペーパーＰであるか否かの判断が行われて、２枚目以降であると判断されると、ステップＳ９に進み、通電パターンＰ４、３で通電する。
【００７３】
つまり、ステップＳ１でのペーパーの内容に基づき、例えば幅寸法の大きなロールペーパーの場合には、通電パターンＰ４を選択する。また、狭い幅のロールペーパーの場合には、パターンＰ３を選択する。
【００７４】
以上のようにして、通電しつつ各ローラにより搬送することで、水分を含んだペーパーは急激に温度上昇されて、予備乾燥ユニットから出た時点では、全乾燥過程の半分程度の乾燥が終了できるようになる。また、ペーパー幅及び種類に応じて最適なランプヒータ５６の通電制御が可能となる。
【００７５】
続く、ステップＳ１０では第２センサＳ２によるペーパー有無検出が行われて、通過したと判断されると、ステップＳ１１に進みヒータ通電をオフしてリターンする。
【００７６】
以上のようにランプヒータ５６を制御することで、光量発生と同時に適度な熱線が発生するので、カール発生を防止できるようになり、ペーパー表面から除去してから乾燥ユニット１７に送るようにできる。
【００７７】
尚、上記の実施形態によれば、予めカットされたペーパーの乾燥を行う場合についてのみ述べたが、これに限定されず、連続する印画紙を乾燥する場合にも適用可能なことは勿論である。この場合には、上記のドライブローラ、アイドルローラの配設の間隔を広げるようにして、より少ないローラで搬送できるようになる。
【００７８】
また、赤外線ヒータユニット３３を交換するためにコネクタ６９を取り外し、ネジを取り外してから、ランプヒータを交換して、再度固定するために実際に要した時間は約１分であった。また、赤外線ヒータユニット３３を別体構成にすることで、組み立て作業分担が可能となり組み立て作業性が向上できる二次的なメリットを得ることができるようになった。
【００７９】
【発明の効果】
以上説明したように本発明によれば、乾燥のために搬送経路の全長を長く設定しなくとも乾燥処理能力を十分に確保できる小型の乾燥装置とするために、水洗用処理液槽の出口から温風式乾燥手段の入口まで搬送される印画紙へのアクセスを容易にでき、かつメンテナンス性を向上する写真乾燥装置を提供することができる。
【００８０】
【図面の簡単な説明】
【図１】写真焼付現像装置１の全体構成の要部を示すために筐体２に対して一部着脱自在に設けられるカバーを全て取り外して示し、オプションとして設定されたペーパーマガジン左収納部２ａを増設した様子を示した外観斜視図である。
【図２】図１の主搬送１０におけるペーパー搬送の様子を示した要部拡大の外観斜視図である。
【図３】予備乾燥ユニットを含む乾燥部の外観斜視図である。
【図４】図３のＡ‐Ａ矢視断面図である。
【図５】予備乾燥ユニットを含む乾燥部の空気の流れを示す外観斜視図である。
【図６】赤外線ヒータユニット３３の平面図である。
【図７】ガイドワイヤーをリフレクタに取り付ける様子を示した外観斜視図であって、（ａ）は取付け前、（ｂ）は取付け後の様子を夫々示す。
【図８】（ａ）は予備乾燥装置の制御のためのブロック図、（ｂ）はランプヒータの通電波形を示す。
【図９】ランプヒータの通電制御のフローチャートである。
【符号の説明】
１…写真焼付現像装置、２…筐体、２ａ…ペーパーマガジン右収納部、２ｂ…ペーパーマガジン左収納部、３…ペーパーマガジン、４…カッターユニット、５…露光焼き付け部、６…フィルムスキャナー、７…暗箱、８…テーブル、９…副搬送部、１０…主搬送部、１１…グリーティングユニット、１２…処理槽、１３…反転ロール、１４…ドレイン、１５…補充タンク、１６…主制御部、１７…乾燥ユニット、１８…プロセッサー制御部、１９…電源部、２０…バーコード、２１…バーコード検出器、２２…ダクト、２３…主クロスフローファン、２４…主ヒータユニット、２５…モートル、２６…スポンジローラ、２７…反転ローラ、２９…側板、３０…予備乾燥ユニット、３１…ペーパー導入部、３２…開口部、３３…赤外線ヒータユニット、３４…ハンドル、３５…クロスフローファン、３６…クロスフローファン、３７…ブラケット、３８…スライダー、３９…アイドルローラ、４０…ドライブローラ、４１…アイドルローラ、４２…ドライブローラ、４３…アイドルローラ、４４…ドライブローラ、４５…アイドルローラ、４６…ドライブローラ、４７…カバー、４８…カバー、４９…カバー、５０…テーブル、５１…吸着部、５２…フィルター、５３…フィルター、５５…ガイドワイヤ、５６…（中赤外線）ランプヒータ、５７…リフレクタ、５８…ファン、６０…基部、６１…ピン、６２…ガイドレール、６３…バネ、６６…凹部、６９…コネクタ、７０…ヒータドライバー、７１…コード、７３…ネジ、Ｐ…ペーパー（印画紙）、ＲＰ…ロールペーパー、Ｓ１…第１センサ、Ｓ２…第２センサ
【図１】
0003593423.tif 000002
【図２】
0003593423.tif 000003
【図３】
0003593423.tif 000004
【図４】
0003593423.tif 000005
【図５】
0003593423.tif 000006
【図６】
0003593423.tif 000007
【図７】
0003593423.tif 000008
【図８】
0003593423.tif 000009
【図９】
0003593423.tif 000010